(57)【要約】    【課題】  血液成分を容易に分離することができる分離装置および方法を提供することである。    【解決手段】  分離しようとする血液を収容するための本体（１２）と、本体内の対向した壁（１２ａ）に隣接して配置された一対の電極板（１４）とを備え、電極板に通電することによって、血液を電気分解して血液を第１成分と第２成分に分離し、さらに第１成分と前記第２成分を比重差によってそれぞれ分離することを特徴とする装置（１０）が提供される。電極板は好ましくは、チタン白金、或いは炭素粒子を吹き付け又は練り込んだ板で形成されている。【選択図】  図１
2005224600.tif 000002
【特許請求の範囲】
【請求項１】
血液成分の分離装置であって、
分離しようとする血液を収容するための本体と、
本体内の対向した壁に隣接して配置された一対の電極板とを備え、
前記電極板に通電することによって、血液を電気分解して血液を第１成分と第２成分に分離し、さらに前記第１成分と前記第２成分を比重差によってそれぞれ分離することを特徴とする装置。
【請求項２】
前記電極板が、チタン白金、或いは炭素粒子を吹き付け又は練り込んだ板で形成されていることを特徴とする請求項１に記載の装置。
【請求項３】
前記本体内の血液を低温状態に保持する冷却装置を更に備えていることを特徴とする請求項１又は２に記載の装置。
【請求項４】
血液成分の分離方法であって、
分離しようとする血液を本体内に収容する段階と、
前記本体内の対向した壁に隣接して配置された一対の電極板に通電することによって、前記血液を電気分解して血液を第１成分と第２成分に分離する段階と、
前記第１成分と前記第２成分を比重差によってそれぞれ分離する段階と、
を含むことを特徴とする方法。
【請求項５】
前記電極板が、チタン白金、或いは炭素粒子を吹き付け又は練り込んだ板で形成されていることを特徴とする請求項４に記載の方法。
【請求項６】
前記電極板に通電する前に、前記血液にヘパリンを添加して低温状態に保持する段階を更に含むことを特徴とする請求項４又は５に記載の方法。
【発明の詳細な説明】
【技術分野】
【０００１】
本発明は、血液成分の分離装置および分離方法に関する。
【背景技術】
【０００２】
人工透析に際しては、患者の血液中の血液成分と老廃物等の分離を行うために、一般的に、フィルタ方式で血液を濾過している。このように、従来の技術において、血液成分を分離するには、基本的に、濾過操作が用いられている。
【発明の開示】
【発明が解決しようとする課題】
【０００３】
しかしながら、例えば人工透析においてフィルタ方式で濾過すると、栄養分などの人体に有用な成分までも除去されてしまうという課題がある。また、従来の方式では、遺伝子抽出時において、空気中の酸素により８−ｏｈｄＧ（８−ヒドロキシ−デオキシグアノシン）が生成されて測定結果が不明確になるという課題もある。
【０００４】
したがって、本発明は、必要な成分と不要な成分とを容易に分離することができる血液成分の分離装置および方法を提供することを目的としている。
【課題を解決するための手段】
【０００５】
本願請求項１に記載の血液成分の分離装置は、分離しようとする血液を収容するための本体と、本体内の対向した壁に隣接して配置された一対の電極板とを備え、前記電極板に通電することによって、血液を電気分解して血液を第１成分と第２成分に分離し、さらに前記第１成分と前記第２成分を比重差によってそれぞれ分離することを特徴とするものである。
【０００６】
本願請求項２に記載の血液成分の分離装置は、前記請求項１の装置において、前記電極板が、チタン白金、或いは炭素粒子を吹き付け又は練り込んだ板で形成されていることを特徴とするものである。
【０００７】
本願請求項３に記載の血液成分の分離装置は、前記請求項１又は２の装置において、前記本体内の血液を低温状態に保持する冷却装置を更に備えていることを特徴とするものである。
【０００８】
本願請求項４に記載の血液成分の分離方法は、分離しようとする血液を本体内に収容する段階と、前記本体内の対向した壁に隣接して配置された一対の電極板に通電することによって、前記血液を電気分解して血液を第１成分と第２成分に分離する段階と、前記第１成分と前記第２成分を比重差によってそれぞれ分離する段階とを含むことを特徴とするものである。
【０００９】
本願請求項５に記載の血液成分の分離方法は、前記請求項４の方法において、前記電極板が、チタン白金、或いは、炭素粒子を吹き付け又は練り込んだ板で形成されていることを特徴とするものである。
【００１０】
本願請求項６に記載の血液成分の分離方法は、前記請求項４又は５の方法において、前記電極板に通電する前に、前記血液にヘパリンを添加して低温状態に保持する段階を更に含むことを特徴とするものである。
【発明の効果】
【００１１】
本発明の装置および方法では、電気分解および成分間の比重差を利用して、血液の成分を比較的容易に分離することが可能になる。
【発明を実施するための最良の形態】
【００１２】
次に図面を参照して、本発明の好ましい実施の形態に係る血液成分の分離装置について詳細に説明する。図１は、本発明の好ましい実施の形態に係る血液成分の分離装置の一部切り取り平面図、図２は、図１の線２−２に沿った断面図である。図１および図２において全体として参照符号１０で示される本発明の好ましい実施の形態に係る血液成分の分離装置は、直方体形状の本体１２を備えている。
【００１３】
血液成分の分離装置１０は又、好ましくは、本体１２内の血液を低温状態に保持する冷却装置（図示せず）を備えている。冷却装置は、血液の凝固を防止するためのものである。すなわち、周知のように血液は空気に触れると凝固するが、血液にヘパリンを添加し、低温状態に保持すると、酵素の働きが阻害され、これにより血液凝固を防止することができる。なお、冷却装置は、公知の型式のものを使用してよい。
【００１４】
血液成分の分離装置１０は又、本体１２の対向した側壁１２ａに隣接して一対の電極板１４を備えており、電極板１４には、電源が接続されている。図１では、変圧器１６を介して交流電源（１００Ｖ）に接続されるようになっている。電源は、後述するように、電気分解を生じさせ易くするために、６Ｖ〜２４Ｖの電圧のものを使用するのが好ましい。
【００１５】
なお、電極板１４は、チタン白金、或いは、炭素粒子を吹き付け又は練り込んだ板で形成するのが好ましい。
【００１６】
好ましくは、血液成分の分離装置１０は更に、本体１２内において分離された血液の成分を排出するための排出管１８を備えており、排出管１８には、排出を制御するためのバルブ１８ａが設けられている。
【００１７】
以上のように構成された血液成分の分離装置１０の使用について説明する。まず、分離しようとする血液を本体１２内に収容する（この際、血液が凝固しないように、血液にヘパリンを添加し、冷却装置を用いて本体１２内に低温状態に保持しておく）。次いで、電極板１４に通電する（通電時間は、最大で５０分程度であるのが好ましい）。すると、誘電分極作用により、電極板１４の陽極（＋）側に、血液成分のうち負の因子をもつ液状化した酸性成分が主として集積し、電極板１４の陰極（−）側に、血液成分のうちゲル状になったアルカリ性物質が集積する。
【００１８】
この現象をより詳細に説明する。電極板１４に通電すると、本体１２のほぼ中央部分に分離境界が発生する。すなわち、電極板１４に通電すると、血液中に電界が形成され、血液の保有電子が電界の影響を受けて、自由電子が臨界膜を飛び出し、各々の極性により拡散して他の領域に侵入して当該領域内で再結合を起こし、部分的に空間層が発生する。そして、空間層内にイオン化したドナーと空間電荷が発生し、この電荷により本体１２内の血液に電位差が生じ、血液成分は、自由電子の各極性に応じて陽極（＋）又は陰極（−）にそれぞれ分離される。これにより、本体１２のほぼ中央部分に発生した分離境界を挟んで、血液成分の平均的分離が行われる。
【００１９】
次いで、この状態で所定時間経過すると、陽極（＋）側に集まった流体物質中の酸性成分が比重差によって分離して成分Ａ１、Ａ２、Ａ３、Ａ４になるとともに、陰極（−）側に集まった流体物質中の成分も同様に比重差によって分離して成分Ｂ１、Ｂ２、Ｂ３、Ｂ４となる。
【００２０】
本発明は、以上の発明の実施の形態に限定されることなく、特許請求の範囲に記載された発明の範囲内で、種々の変更が可能であり、それらも本発明の範囲内に包含されるものであることはいうまでもない。
【００２１】
例えば、前記実施の形態において、本体１２が直方体の形状のものとして示されているが、本体１２は、任意の形状のものでよい。また、図２では、血液が８種類の成分（Ａ１〜Ａ４、Ｂ１〜Ｂ４）に分離されている状態が示されているが、これは単なる例示にすぎず、これより少ない成分又はこれより多い成分に分離されることもある。
【図面の簡単な説明】
【００２２】
【図１】本発明の好ましい実施の形態に係る血液成分の分離装置の一部切り取り平面図である。
【図２】図１の線２−２に沿った断面図である。
【符号の説明】
【００２３】
１０  血液成分の分離装置
１２  本体
１４  電極板
１６  変圧器
１８  排出管
【図１】
2005224600.tif 000003
【図２】
2005224600.tif 000004